(57)【要約】【課題】  ピアノの構造部材を傷める（機械加工を施す）ことなく、取り付け位置及び向きを自在に調整可能なスピーカの取り付け構造を提供する。【解決手段】  ピアノの本体におけるスピーカ２を取り付けるべき構造部材（支柱１）の上面１ａに第１の取り付け部材３が配置され、支柱１の下面１ｂには第２の取り付け部材４が配置される。第１及び第２取り付け部材３，４は、取り付けネジ５ａ〜５ｃによって相互に締結されることで、支柱１を締め付け、支柱１に固定される。第２の取り付け部材４は、スピーカ２を係止するためのＬ字状金具１０を有する。スピーカ２に装着されたスピーカ保持金具２０をＬ字状金具１０に引っ掛けることで、スピーカ２が支柱１に取り付けられる。スピーカ２の取り付け位置及び向き調整は、スピーカ保持金具２０のスピーカ２０への取り付け位置・向き調整に応じて可能である。【選択図】  図１
2005045780.tif 000002
【特許請求の範囲】
【請求項１】
ピアノ型鍵盤楽器にスピーカを取り付けるためのスピーカ取り付け構造であって、
前記ピアノ型鍵盤楽器においてスピーカを取り付けるべき箇所の楽器構造部材に当接可能な第１の取り付け部材と、  
前記構造部材において前記第１の取り付け部材の当接位置と反対側の位置に当接可能な第２の取り付け部材と、
前記第１の取り付け部材と前記第２の取り付け部材によって前記構造部材を両側から締め付ける締め付け手段とを有し、
前記第１又は第２の取り付け部材に、直接又は間接的に前記スピーカが固定されることを特徴とするスピーカの取り付け構造。
【請求項２】
スピーカを固定する第１の取り付け部材と、
ピアノ型鍵盤楽器におけるスピーカを取り付けるべき箇所の構造部材を、前記第１の取り付け部材と協働して、両側から挟持するための第２の取り付け部材と、
前記第１および第２の取り付け部材を前記構造部材の両側から締め付ける締め付け手段と
を具備することを特徴とするピアノ型鍵盤楽器へのスピーカの取り付け構造。
【請求項３】
前記第１の取り付け部材は、固定した前記スピーカの指向方向を調整可能にする調整機構を有することを特徴とする請求項１又は２に記載のスピーカの取り付け構造。
【請求項４】
前記第１及び第２の取り付け部材は、各々板状部材からなり、各板状部材の縁部寄りの所定箇所に前記締め付け手段が配置され、該締め付け手段の配置箇所以外の該両板状部材の板面部分間で前記構造部材を挟み込むことで、該構造部材を避けて前記締め付け手段を位置させることができるようにしたことを特徴とする請求項１乃至３のいずれかに記載のスピーカの取り付け構造。
【請求項５】
前記第１又は第２の取り付け部材は、前記スピーカを直接又は間接的に係止する係止部を有し、前記スピーカを前記係止部に係止した状態で固定可能としたことを特徴とする請求項１に記載のスピーカの取り付け構造。
【請求項６】
前記第１又は第２の取り付け部材に対する前記スピーカの配設位置が、スピーカ指向方向を調整可能な第１の配設位置と、スピーカ指向方向を固定したままスピーカ本体が楽器側面から見えない位置に収容される第２の配設位置とで選択可能としたことを特徴とする請求項１又は５に記載のスピーカの取り付け構造。
【発明の詳細な説明】
【技術分野】
【０００１】
この発明は、ピアノ型鍵盤楽器に対するスピーカの取り付け構造に関する。
【背景技術】
【０００２】
電子音源を用いた演奏機能を有するアコースティックピアノに対して設置されるスピーカの取り付け構造として、下記特許文献１には、（１）アップライトピアノにおいてボックスタイプのスピーカを響板の後側に取り付ける構造、並びに、（２）グランドピアノにおいてボックスタイプのスピーカを響板の下側に取り付ける構造が開示されている。また、下記特許文献２には、電子ピアノ、電子オルガン等におけるスピーカ取り付け構造として、スピーカボックスが、楽器本体を支持する左右両側板間において、回転用ビスを中心にして回転可能に支持される構造が開示されている。
【特許文献１】実開平７‐２３３９６号公報
【特許文献２】実開平７−５１９３号公報
【０００３】
ところで、周知のように、スピーカは、適切且つ良好な聴覚を聴取者（演奏者、聴衆など）に対して与えるべく、聴取者に対する相対的な配置位置やスピーカの指向方向等を、スピーカの用途や使用する環境等に応じて適切に調整されることが望ましい。すなわち、上記のようなピアノ型鍵盤楽器に設置されるスピーカにおいても、スピーカは、作業者によって任意の方向に向けて設置向きを変更可能であること、及び、任意の位置に取り付け可能であることが望ましく、従って、従来より、その様な作業者からのニーズが存在していた。
上記特許文献２は、回転可能に支持されたスピーカボックスを演奏者側（前方）に向けること又は聴衆側（後方）に向けることで、２方向にスピーカの向きを変更しうることを開示しているが、これは、スピーカボックスが両側板を貫通する回転用ビスによって回転自在に支持される構成であるため、その取り付け位置を自由に変更することはできなかった。また、上記特許文献１にあっては、スピーカは支柱や側板等のピアノの構造部材上に固定されるものとして記述されているものの、その具体的な取り付け方法については示されておらず、取り付け位置やスピーカの向きを可変とする構成についての示唆はない。
スピーカを支柱等のピアノ本体の構造部材上に固定する方法として、例えば、Ｌ字金具等の連結具を介してネジ止めすることが考えられるが、その場合、該構造部材に対してネジ穴を穿つ必要がある。すなわち、このような方法では、ピアノ本体に対してスピーカを取り付けるための何らかの機械加工を施さねばならなかったので、ピアノ本体の部材を傷つけることになってしまう。また、この場合に位置変更を可能に構成したとしても、その位置変更作業は簡易に行えるものではなかった。
【発明の開示】
【発明が解決しようとする課題】
【０００４】
この発明は、上記の点に鑑みてなされたもので、楽器本体の部材を傷める（機械加工を施す）ことなく、取り付け向き調整及び取り付け位置調整を自在に行いうるスピーカの取り付け構造を提供しようとするものである。
【課題を解決するための手段】
【０００５】
この発明は、ピアノ型鍵盤楽器にスピーカを取り付けるためのスピーカ取り付け構造であって、前記ピアノ型鍵盤楽器においてスピーカを取り付けるべき箇所の楽器構造部材に当接可能な第１の取り付け部材と、前記構造部材において前記第１の取り付け部材の当接位置と反対側の位置に当接可能な第２の取り付け部材と、前記第１の取り付け部材と前記第２の取り付け部材によって前記構造部材を両側から締め付ける締め付け手段とを有し、前記第１又は第２の取り付け部材に、直接又は間接的に前記スピーカが固定されることを特徴とする。
【０００６】
また、この発明は、スピーカを固定する第１の取り付け部材と、ピアノ型鍵盤楽器におけるスピーカを取り付けるべき箇所の構造部材を、前記第１の取り付け部材と協働して、両側から挟持するための第２の取り付け部材と、前記第１および第２の取り付け部材を前記構造部材の両側から締め付ける締め付け手段とを具備することを特徴とするピアノ型鍵盤楽器へのスピーカの取り付け構造である。
【発明の効果】
【０００７】
この発明によれば、第１の取り付け部材と前記第２の取り付け部材は、締め付け手段によりスピーカを取り付けるべき箇所の楽器構造部材を両側から締め付け、前記第１又は第２の取り付け部材に直接又は間接的に前記スピーカが固定される。従って、楽器本体の構造部材を傷める（機械加工を施す）ことなく、スピーカを取り付けることができるという優れた効果を奏する。また、スピーカの取り付け位置は、第１及び第２の取り付け部材の締め付け位置に応じて自在に変更可能である。また、前記第１又は第２の取り付け部材において直接又は間接的に固定されるスピーカの指向方向を調整可能に構成してもよい。
【発明を実施するための最良の形態】
【０００８】
以下、添付図面を参照して、この発明の一実施例について説明する。以下に説明する実施例では、一例として、この発明に係るスピーカの取り付け構造をグランドピアノに適用した例を示す。なお、グランドピアノは電子音源を用いた演奏機能を有するものである。以下の説明において、グランドピアノ自体の詳細な構成や、自動演奏機能を実現するための構成等については周知のため、その図示及び説明を省略する。
【０００９】
図１は、本実施例に係るスピーカの取り付け構造をピアノ上側から見た斜視図であり、スピーカ取り付け部分のみを抽出して示す。周知のとおり、グランドピアノの骨格は複数の角材を組み合わせて構成した木枠を含み、該木枠はピアノ本体の下面側（響板の下側）において露呈している。図において、符号１は前記木枠を構成する複数の角材のうちの１つ（支柱）を示しており、当該支柱１は図示及び説明の便宜上想像線で示してある。支柱１は、ピアノ本体の下面において、本体の下面に平行（言い換えれば地面と平行）な向きで、配設されている。
また、符号２は当該ピアノに組み付けるべきスピーカである。スピーカ２としては、適宜の汎用のボックスタイプのスピーカを適用して差し支えない。この例では、スピーカ２は、その本体を成すスピーカボックスの前面に設けられた放音口がピアノ下面側を指向する向きで設置される（図１においてはスピーカ２の裏面２ａ側が図の前面に顕れている）。また、スピーカ２の底面部２ｂには、詳しくは後述するスピーカ保持金具２０が取り付けられている。なお、スピーカ２の裏面２ａには、オーディオ入力プラグや当該スピーカ２の電源スイッチ等が設けられていてよい。
【００１０】
図１から明らかなように、支柱１の上面１ａにおいて、第１の取り付け部材３が配設されている。第１の取り付け部材３は、全体的な形状が略Ｔ字型の板状部材によって形成されており、その板面において支柱１の上面１ａに当接する。また、支柱１の下面１ｂ、すなわち、第１の取り付け部材３の反対側の位置には、第２の取り付け部材４が配設されている。第２の取り付け部材４は断面形状が略Ｌ字型の板状部材によって形成されている。第２の取り付け部材４は、第１の取り付け部材３と対向すべき対向部４ａにおいて支柱１の下面１ｂに当接し、該対向部４ａから立ち上がる立面４ｂが支柱１の側面１ｃに沿うよう配置される。立面４ｂには、スピーカ保持金具２０と係合してスピーカ２を係止するためのＬ字状金具１０が２つ具備されている。２つのＬ字状金具１０は、スピーカ２の横幅方向に並んで配設されており、スピーカ２を２点で支持できるようになっている。
【００１１】
第１の取り付け部材３及び第２の取り付け部材４は、夫々、支柱１に対する当接面の幅が該支柱１の幅よりも幅広に形成されており、端縁部寄りの適宜の複数箇所(この例では３箇所)には、取り付けネジ５ａ〜５ｃを挿通するためのネジ穴が設けられている。これら取り付けネジ５ａ〜５ｃは、第１の取り付け部材３及び第２の取り付け部材４を相互に締結するための締め付け手段として機能する。支柱１を上下両面側において夫々対向するよう配置された第１の取り付け部材３及び第２の取り付け部材４は、取り付けネジ５ａ〜５ｃによって相互に締結されることで、支柱１を締め付ける。これにより、両取り付け部材３，４を支柱１上の任意の位置に固定することができる。
【００１２】
なお、図に示す例では、３本の取り付けネジ５ａ〜５ｃにより第１の取り付け部材３及び第２の取り付け部材４を３点で締結する例を示したが、これに限らず、少なくとも、第１の取り付け部材３及び第２の取り付け部材４が、支柱１を両側から締め付けて、任意の位置で固定されるのであれば、ネジ止め箇所は幾つであってもよい。また、第１及び第２の取り付け部材３、４の形状も、図示の例に限定されず、少なくとも支柱１の一面に当接して、両取り付け部材で該支柱１を両側から締め付けることができればどのような形状であってもよい。
【００１３】
図２（ａ）は、スピーカ保持金具２０の取り付け例を示す斜視図である。また、図２（ｂ）は、スピーカ保持金具２０を（ａ）の矢印Ｂから見た平面図である。スピーカ保持金具２０の一方の端部（図２（ｂ）において上側）には、第２の取り付け部材４に具わるＬ字状金具１０と係合する貫通穴２１が形成されている。貫通穴２１はスピーカ２の横幅方向に沿って伸びた長穴であり、この貫通穴２１に、Ｌ字状金具１０の鉤手の部分（折り返し部分）を引っ掛けることができるようになっている。また、スピーカ保持金具２０には、左右一対の係止補助部２２が、板面から立ち上がるよう形成されている。詳しくは後述するように、スピーカ２を支柱１に（第２取り付け部材４に）取り付けた際、両補助部２２に夫々装着される当接ネジ２３によってスピーカ２を下側から支えることで、Ｌ字状金具１０におけるスピーカ２の係止を固定する。
【００１４】
スピーカ保持金具２０の略中心部にはネジ穴２４が設けられており、該ネジ穴２４に取り付けるネジ２５によって、スピーカ保持金具２０をスピーカ２にネジ止めする。これにより、スピーカ取り付け部材２０は、スピーカ２に対して前記ネジ２５を中心として相対的に回動可能に取り付けられる。図から明らかなように、ネジ穴２４がスピーカ保持金具２０の長手方向に沿って延びる長穴状に形成されているので、スピーカ保持金具２０のスピーカ２に対する取り付け位置は、ネジ穴２４の長さ範囲内において調整可能である。図２（ａ）の例では、ネジ穴２４の上端（図２（ｂ）において下端）にてネジ２５のネジ止めを行っている。この位置でスピーカ保持金具２０をスピーカ２に取り付けると、スピーカ２を支柱１に取り付けた際に、スピーカ２は相対的にピアノ下側へ出っ張った位置に取り付けられることになる。このスピーカ位置を以下の説明において、説明の便宜上、「第１の配置位置」という。
スピーカ保持金具２０の他方の端部（図２（ｂ）において下側）には、円弧状のネジ穴２６が穿設されており、該ネジ穴２６を介してネジ２７をスピーカに螺着する。ネジ穴２６とネジ２７は、前記「第１の配置位置」におけるスピーカ保持金具２０のスピーカ２への取り付けに利用されると共に、スピーカ２をスピーカ取り付け部材２０に対して相対的に回動させる際の回動ガイド部材として機能する。スピーカ保持金具２０に対するスピーカ２の回転位置を可変することで、スピーカ２の支柱１に対する取り付け向き、すなわち、「第１の配置位置」では、スピーカ２の指向方向が調整可能となっている。
【００１５】
また、スピーカ保持金具２０をスピーカ２に取り付けるに際して、図２（ａ）において、長手状のネジ穴２４の下端（図２（ｂ）において上端）にてネジ２５のネジ止めを行ってもよい。この位置でスピーカ保持金具２０をスピーカ２に取り付ける場合は、ネジ穴２８を用いる。この位置でスピーカ保持金具２０をスピーカ２に取り付けると、ネジ穴２８の形状から明らかなように、スピーカ２の指向方向の調整は固定されるが、スピーカ２を支柱１に取り付けた際に、スピーカ２は本体（スピーカボックス）がピアノ本体下面内の奥まった、楽器側面からは目に付かない位置に収容されることになる。このスピーカ位置を以下の説明において、説明の便宜上、「第２の配置位置」という。従って、ユーザは、前記第１の配置位置でスピーカ２を取り付けるか、第２の配置位置でスピーカ２を取り付けるかを、スピーカ保持金具２０の取り付け位置に応じて選択することができる。
【００１６】
次に、この実施例に係るスピーカ取り付け機構を使用してスピーカ２を支柱１に取り付けるための手順について説明する。先ず、第１の取り付け部材３と第２の取り付け部材４は、支柱１を介して夫々対向させた状態で配置され、取り付けネジ５ａ〜５ｃにより両取り付け部材３，４を締結することで、該第１及び第２の取り付け部材３，４を支柱１の任意の位置に固定することができる。一方、スピーカ２には、スピーカ保持金具２０をネジ止めによって取り付ける。スピーカ保持金具２０の貫通穴２１を第２の取り付け部材４のＬ字状金具１０に引っ掛けるだけで、スピーカ２を第２の取り付け部材４に取り付けることができる。図１において矢印Ａは、第２取り付け部材４に対するスピーカ２の装着方向を示している。図３（ａ）は第１の配置位置でスピーカ２を支柱１に取り付けた状態を示す斜視図であり、図においてスピーカ２を想像線（二点鎖線）で示す。なお、同図において、図面下方がピアノの下方に対応する。スピーカ２に取り付けたスピーカ保持金具２０を第２取り付け部材４のＬ字状金具１０に引っ掛けると、スピーカ保持金具２０に設けられた係止補助部２２は、支柱１の下面側に位置する取り付け部材４の対向部４ａに対向するよう突出する。図３（ｂ）（吹き出し図）において、１つの係止補助部２２の部位を抽出・拡大して示す。（ｂ）に示すように、係止補助部２２の下方から当接ネジ（蝶ネジ）２３を螺着して、下端部を対向部４ａに当接させる。これを左右両側の係止補助部２２で行う。これにより、Ｌ字状金具１０に引っ掛けられたスピーカ２を下側から支えて固定する。
これにより、作業者は、スピーカ２を支柱１上の任意の箇所で簡単に取り付けることができる。また、Ｌ字状金具１０での係止を解くだけで間単にスピーカ２を取り外すことができる。また、ピアノ本体の部材（支柱１等）に直接スピーカ２を取り付けるためのネジ穴等を穿つ等の機械加工を行う必要がないので、ピアノ本体の部材を傷めることがない。
また、スピーカ２の取り付け位置の変更するには、取り付けネジ５ａ〜５ｃを緩めることで、第１及び第２の取り付け部材３，４の位置をずらすだけで実施可能であるため、ネジ取り外しの手間等をかけることなく、簡便に行うことができる。
また、図３（ｃ）は、第２の配置位置でスピーカ２を支柱１に取り付けた状態を示す斜視図である。第２の配置位置では、スピーカ２の指向方向は下向きで固定されており、スピーカ２の取り付け位置が全体としてピアノ本体下面の奥に引っ込むので、楽器側面からは目に付かない位置にスピーカ２が収容され、支柱１の下側へのスピーカ２の突出部分が可及的少なくなる。第２の配置位置を採用することで、殊にアコースティックのピアノにおいて、ピアノの外観や全体的な雰囲気や趣が損なわれることがないよう、スピーカ２の露見を可及的抑制できるので好ましい。
【００１７】
なお、上記図１〜３に示す実施例では、スピーカ２側にスピーカ保持金具２０を取り付け、それを取り付け部材４の係止部（Ｌ字状金具１０）に引っ掛ける構成、即ち、スピーカ２を取り付け部材に間接的に係止する構成例を示したが、これに限らず、スピーカと取り付け部材が直接に係止可能な構造をスピーカ本体に具える構成であってもよい。
また、上記実施例では、取り付け部材４にスピーカ保持金具２０を引っ掛けるＬ字状金具１０を設け、スピーカ保持金具２０に該Ｌ字状金具１０と係合する「貫通穴」が設けた構成を示したが、スピーカ２側にＬ字状金具を設け、取り付け部材側にＬ字状金具と係合する「貫通穴」を設ける構成であっても良いし、また、スピーカ係止機構の形態はＬ字状金具と穴との係合による形態に限らず、対向するＬ字状金具を、スピーカ、取り付け部材側にそれぞれ設ける構造であってもよいし、Ｌ字（鉤手）状に曲がった部材に限らず、棒状に部材を穴に引っ掛ける構造など、スピーカを取り付け部材に係止できるのであれば、どのような構造であっても良い。また、スピーカ保持金具２０のスピーカ２への取り付け位置を、スピーカ指向方向を調整可能な第１の配設位置と、スピーカ指向方向を固定したままスピーカ本体が楽器側面から見えない位置に収容される第２の配設位置の２箇所から選択可能な構成を示したが、これに限らず、上記２箇所の双方にてスピーカ指向方向を調整可能な構成であってもよいし、或いは、位置選択のないシンプルな構成であってもよいし、更には、上記２箇所からの選択に限らず、よりフレキシブルな位置設定ができるような構成であっても差し支えない。
【００１８】
図４（ａ）は、スピーカ取り付け機構の別の構成例を示す図であって、グランドピアノを下面側から見た平面図である。また、（ｂ）は（ａ）の矢印Ｃから見た側面図である。
以下の説明において、既述のものと同様な構成要素については、図示及び説明の便宜上同じ符号を付与し、その詳細な説明は適宜省略するものとする。
図４に示すスピーカの取り付け構造は、スピーカ２が直接的に装着される第１の取り付け部材３と、前記第１の取り付け部材３と協働して支柱１を両側から挟持するための第２の取り付け部材４を含む。第１の取り付け部材３と第２の取り付け部材４は、各々、全体として平板な板状部材によって構成され、両取り付け部材３，４は、支柱１上の任意のスピーカ取り付け位置において支柱１を挟み込むよう互いに対向して配置され、取り付けネジ５ａ〜５ｄによって第１及び第２取り付け部材３，４間が相互に締結されることで、支柱１を挟持した状態で固定される。
【００１９】
スピーカ２が装着されるべき第１の取り付け部材３は、その長手方向が支柱１の長手方向に沿って平行になるよう配置されており、前記取り付けネジ５ａ〜５ｄによって支柱１を挟持する部分（支柱１との当接面）から迫り上がって延設されたスピーカ支持部３１を有し、該スピーカ支持部３１においてスピーカ２を片持ち支持する。図４（ｂ）において想像線（二点鎖線）で示すように、スピーカ２はその底面部において２つのネジ１２ａ、１２ｂによってスピーカ支持部３１に取り付けられている。また、スピーカ２は本体の前面に設けられた放音口がピアノ下面側を指向する向き（図４（ａ）おいては正面：（ｂ）では下方向き）で設置される。
【００２０】
図５（ａ）は図１に示す第１の取り付け部材３の平面図であり、（ｂ）は（ａ）を矢印Ｄから見た側面図である。第１の取り付け部材３は、支柱１の側面に対して当接される当接面３０と、スピーカ２を装着するためのスピーカ支持部３１とを有し、該当接面３０の部分には、取り付けネジ５ａ〜５ｄを夫々貫通させる取り付けネジ穴３３ａ〜３３ｄが設けられている。第１の取り付け部材３の幅Ｗ１方向についての各ネジ穴の相互間隔（３３ａと３３ｃ、３３ｂと３３ｄの間）は、支柱１の側面の幅よりも広くなっており、支柱１を挟み込んだ両取り付け部材３，４を取り付けネジ５ａ〜５ｄによって締結することを可能としている。
【００２１】
スピーカ支持部３１は、傾斜面３２を介して当接面３０から迫り上がるよう形成された平面部であり、当接面３０と平行である。傾斜面３２は、例えば、取り付け部材３が支柱１に取り付けられた状態で、その側面（当接面３０の同一平面）から略４５度程度立ち上がるような傾斜を有する。よって、第１の取り付け部材３が支柱１に取り付けされた状態では、スピーカ支持部３１と支柱１の側面との間には適宜の幅の間隙が生じている。
スピーカ支持部３１には、スピーカ２を装着するために、一対の第１通孔３４ａ、３４ｂ及び一対の第２通孔３５ａ、３５ｂが設けられている。これらの通孔３４ａ、３４ｂ、３５ａ、３５ｂは、同一円周Ｐ上に配置されており、通孔の各対３４ａと３４ｂ、並びに、３５ａと３５ｂは、円周Ｐの中心点Ｏについて対称に位置する。スピーカ２の装着に使用する通孔の対を変更することで、スピーカの指向方向を選択的に変更できる。例えば、図４に示すようにスピーカ２の放音口を下向きに設置するときは、第１通孔３４ａ、３４ｂにネジ３６ａ、３６ｂを装着してスピーカ２を取り付けるものとし、放音口の指向方向を９０°変える、つまりスピーカを略水平向きに指向させるときは、第２通孔３５ａと３５ｂを用いて、スピーカ２の取り付けを行うことができる。
これら通孔３４ａ、３４ｂ及び３５ａ、３５ｂは、スピーカ２の指向方向を調整するための角度調整機構としても機能する。図に示すとおり、各通孔３４ａ、３４ｂ及び３５ａ、３５ｂは、円周Ｐの周方向に沿って所定の角度範囲にわたって延びた長手孔状に形成されている。図２では、一例として、第１通孔３４ａ、３４ｂは、中心点Ｏを中心にして略９０°の角度範囲にわたって延びる長手孔である。また、第２通孔３５ａ、３５ｂは、中心点Ｏを中心にして略４０°の角度範囲にわたって延びる長手孔である。作業者は、スピーカ２の取り付け角度を、現在使用している通孔の対が許容する角度範囲内において自在に調整することができる。
【００２２】
図６（ａ）は図１に示す第２の取り付け部材４の平面図であり、（ｂ）は（ａ）を矢印Ｅから見た側面図である。図６（ａ）に示すように、第２の取り付け部材４は、取り付けネジ５ａ〜５ｄを夫々貫通させる取り付けネジ穴４０ａ〜４０ｄを有する。各ネジ穴４０ａ〜４０ｄの相互の配置間隔は、前記第１の取り付け部材３における各取り付けネジ穴３３ａ〜３３ｄの相互の配置間隔と等しくなされており、第１の取り付け部材３と第２の取り付け部材４とが対向して配置されたときに、対向すべき各ネジ穴の位置が略一致することで、該対向すべき各ネジ穴に夫々貫通する各取り付けネジ５ａ〜５ｂが真っ直ぐに通る。第２の取り付け部材４の幅Ｗ２は第１の取り付け部材３の幅Ｗ１に等しい。上述の通り各ネジ穴４０ａ〜４０ｄの相互の配置間隔は、第１の取り付け部材３の各取り付けネジ穴３３ａ〜３３ｄのそれに等しいので、幅Ｗ２方向に配列された各ネジ穴の相互感覚（４０ａと４０ｃ及び４０ｂと４０ｄ）もまた、支柱１の側面（取り付け部材４と当接する面）の幅よりも広く、各ネジ穴に取り付けた取り付けネジ５ａ〜５ｂが支柱１の側面に沿って延びるようになっている。
【００２３】
この実施例に係るスピーカの取り付け手順について説明すると、スピーカ２を装着した第１の取り付け部材３と第２の取り付け部材４は支柱１を挟み込むよう配置され、このように配置された両取り付け部材３及び４を取り付けネジ５ａ〜５ｄによって締結する。両取り付け部材３及び４は、取り付けネジ５ａ〜５ｄの締結により支柱１を緊密に挟持することで、支柱１上に固定される。従って、作業者は、上述した図１〜図３に示す構成と同様に、ピアノ本体の部材（支柱１等）を傷めることなく（機械加工を施すことなく）簡単な方法で、スピーカ２を支柱１の任意の箇所に取り付けることができ、取り付け位置の変更や、スピーカ指向方向の調整も簡便に行えるようになる。また、図４（ｂ）から見て取れるように、スピーカ２の長手方向がグランドピアノの下面に対して平行になるよう取り付けられることから、支柱１の下側面へのスピーカ２の突出部分が可及的少なくなり、ピアノの外観を損なわないという点で好ましい。
【００２４】
上記図４〜図６の実施例では、第１の取り付け部材３に具わるスピーカ支持部３１が。当接面３０から迫り上がって延びる面として構成され、支柱１に取り付けされた状態では、支柱１に沿って平行に延びる例を示した。図７及び図８は第１の取り付け部材３の更に別の構成例として、スピーカ支持部３１が支柱１に対して垂直に延びる構成例を示す。
図７（ａ）は、当該別の構成例に係るスピーカの取り付け構造をピアノ下面側から見た示す平面図であり、（ｂ）は（ａ）の矢印Ｆから見た側面図である。また、図８（ａ）は図７の第１の取り付け部材３を矢印Ｇから見た正面図、（ｂ）は該取り付け部材３の平面図、（ｃ）は該取り付け部材３の側面図、を夫々示す。図７及び図８に示すように、第１の取り付け部材３のスピーカ支持部３１は、当接面３０の一縁部から略垂直に立ち上がるよう形成される。スピーカ２は、その底面部において、スピーカ支持部３１に具わる通孔の対（３４ａ、３４ｂ又は３５ａ、３５ｂ）にネジ１２ａ、１２ｂによって角度調整可能に取り付けされる。なお、第２の取り付け部材４は図４〜図６に示したものと同様に構成される。図７（ａ），（ｂ）に示すように、第１の取り付け部材３が支柱１に取り付けされた状態では、スピーカ支持部３１は支柱１の側面から略垂直に延び、スピーカ２は、該スピーカ支持部３１において、スピーカの長手方向が支柱１の長手方向に沿って平行に延びるよう片持状に支持される。なお、図７（ｂ）において、符号２ｃはオーディオ入力プラグである。
図７及び図８の第１の取り付け部材３によれば、スピーカ支持部３１が支柱１に対して略垂直になることにより、第１の取り付け部材３と第２の取り付け部材４を支柱１に固定した後にも、スピーカ支持部３１の裏面（ネジ１２ａ、１２ｂの頭が出る面）が作業者に対して露呈しうる。従って、両取り付け部材３，４を支柱１に取り付けたままの状態で、スピーカ２の着脱や、スピーカ２の指向方向の調整を自在に行うことができるという利点がある。また、第１の取り付け部材３にスピーカ２を装着してから両取り付け部材３，４をピアノ側に固定する手順、あるいは、両取り付け部材３，４をピアノ側に固定してからスピーカ２を装着する手順の何れの手順でもスピーカの取り付け作業が実施できるので、作業手順を自由にできるという利点がある。
【００２５】
なお、上記何れの実施例においても、第１の取り付け部材３と第２の取り付け部材４を締結する取り付けネジを貫通されるネジ穴の構成例として、ネジ頭が当接する第２の取り付け部材４側にはネジ山を形成せずに通孔とし、他方の第１の取り付け部材３側にのみにネジ山を設け、こちらで取り付けネジを螺着させる構成であってもよい。また、第１の取り付け部材３側において、各取り付けネジに螺合するナットを配設し、該ナットによって各取り付けネジをネジ止めしてもよい。
また、上記図４〜図８の例では、４本の取り付けネジ５ａ〜５ｄを用いて第１及び第２の取り付け部材３，４を締結する例について説明したが、ネジ締め箇所及び数は上記に限定されない。例えば各取り付け部材３，４の４つのネジ穴（３３ａ〜３３ｄ／４０ａ〜４０ｄ）のうち、各々対角線上に位置する２つのネジ穴箇所のみ使用してもよい。
【００２６】
また、この発明に係るスピーカの取り付け機構によれば、スピーカを取り付けるべき箇所の厚みが第１及び第２取り付け部材を締結する取り付けネジの長さ以内の部材でさえあれば、どのような厚さのピアノ部材に対しても適用可能であり、また、支柱に限らず、側板や屋根板等に取り付けることも可能である。更に、例えばグランドピアノの脚のように、対向する側面同士が平行でない（傾斜面になっている）部材に対して適用することも可能である。
【００２７】
また、上述の例では、第１の取り付け部材及び第２の取り付け部材は、夫々平面状の板部材からなるものとしたが、この発明に係るスピーカ取り付け機構は、少なくとも、ピアノ本体の構造部材を挟み込むことで、該構造部材上に固定される部材であって、そこに直接又は間接にスピーカを取り付け可能なものであれば、上記に限定されない。その一例として、例えば取り付け部材の板面が、スピーカを取り付けるべきピアノ構造部材の形状に適合する形状に適宜湾曲しているような部材であってもよい。また、上述の例では、第１及び第２の取り付け部材が、各々一枚の板材から構成される例について説明したが、これに限らず、第１の取り付け部材と第２の取り付け部材が、一枚の板材を例えばＣ字型に折り曲げ成形されたもので構成されていてもよい。この場合、Ｃ字型に折り曲げ成形された板材の両腕部が、夫々第１の取り付け手段及び第２の取り付け手段として機能する。このように折り曲げ成形したものにおいては、両取り付け部材の締め付け手段としてネジ締めを利用するものに限らず板材のバネ力を利用することも可能である。
【００２８】
なお、スピーカ２は、スピーカボックス内にアンプを収納したアンプ内蔵型のスピーカを適用するとよい。アンプを内蔵しないスピーカを用いた場合、アンプは、例えば、音源、制御部、電源等を含む音源ボックス内に収納されており、この音源ボックスはピアノ下面の適宜の箇所に取り付けされるのが一般的である。アンプ内蔵型のスピーカを使用するメリットとして、スピーカボックス内に収納されたアンプの分だけ該音源ボックスのサイズを小さくすることができれば、ピアノ下面においてスピーカを取り付け可能な面積を拡張することができ、従って、スピーカ取り付け位置選択の自由度を増すことができる、ということが考えられる。
【００２９】
なお上述の実施例では、この発明に係るスピーカ取り付け構造をグランドピアノに適用した例を示したが、これに限らず、アップライトピアノに適用することも可能である。アップライトピアノに適用した場合、例えば、ピアノ本体の背面側に露呈した支柱に取り付けることができる。また、アコースティックのグランドピアノ又はアップライトピアノのみならず、発音体としての弦を持たないディジタルグランドピアノ（ＤＧＰ）、すなわち、電子的音源を有しつつ楽器筐体の構造はアコースティックピアノと概ね同等な構造部材から構成される楽器においても適用可能である。
【図面の簡単な説明】
【００３０】
【図１】この発明の一実施例に係るスピーカの取り付け構造をピアノ上側から見た斜視図。
【図２】（ａ）は同実施例においてスピーカ保持金具のスピーカへの取り付け例を示す斜視図であり、（ｂ）はスピーカ保持金具を（ａ）の矢印Ｂから見た平面図。
【図３】（ａ）は同実施例においてスピーカを支柱に取り付けた状態を示す斜視図であり、（ｂ）はスピーカの係止補助部を拡大して示す図であり、（ｃ）はスピーカ配置位置の変更例を示す斜視図。
【図４】この発明の別の実施例に係るスピーカの取り付け構造を示す図であって、（ａ）は、グランドピアノを下面側から見た平面図、（ｂ）は（ａ）の矢印Ｃから見た側面図。
【図５】同別の実施例に係る第１の取り付け部材であって、（ａ）は平面図、（ｂ）は（ａ）の矢印Ｄから見た側面図。
【図６】同別の実施例に係る第２の取り付け部材であって、（ａ）は平面図、（ｂ）は（ａ）の矢印Ｅから見た側面図。
【図７】前記別の実施例の第１の取り付け部材の更に別の構成例を示す図であって、（ａ）は、グランドピアノを下面側から見た平面図、（ｂ）は（ａ）の矢印Ｆから見た側面図。
【図８】図５（ａ）は同別の構成例に係る第１の取り付け部材を図４（ａ）の矢印Ｇから見た正面図、（ｂ）は該取り付け部材の平面図、（ｃ）は該取り付け部材の側面図。
【符号の説明】
【００３１】
１  支柱、２  スピーカ、３  第１の取り付け部材、４  第２の取り付け部材、５ａ〜５ｃ，５ｄ  取り付けネジ（締め付け手段）、１０  Ｌ字状金具（係止部）、２０  スピーカ保持金具、３１  スピーカ支持部
【図１】
2005045780.tif 000003
【図２】
2005045780.tif 000004
【図３】
2005045780.tif 000005
【図４】
2005045780.tif 000006
【図５】
2005045780.tif 000007
【図６】
2005045780.tif 000008
【図７】
2005045780.tif 000009
【図８】
2005045780.tif 000010